(57)【要約】【課題】電源や配線が不要で離れた場所で浴槽蓋の有無及び循環口カバーの有無を検知することのできる無線タグを利用した浴槽装置を提供せんとするものである。【解決手段】本発明の浴槽装置１は、浴槽６の蓋９に無線タグ２を取り付けると共に、浴槽６の近傍に前記無線タグ２との無線電波による情報のやりとりを行うリーダ装置のアンテナ１１を設置している。前記無線タグ２は、無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とで構成されている。【選択図】  図１
2005160515.tif 000002
【特許請求の範囲】
【請求項１】
浴槽の蓋に無線タグを取り付けると共に、浴槽の蓋載置面近傍に前記無線タグとの無線電波による情報のやりとりを行うリーダ装置のアンテナを設置して成り、前記無線タグは、無線電波を受信するアンテナと、無線電波を受信して電源の供給を受け、この電源を利用してデータをアンテナから送信する無線タグＩＣとで構成されていることを特徴とする浴槽装置。
【請求項２】
浴槽の蓋に無線タグを取り付けると共に、浴槽の近傍に前記無線タグとの無線電波による情報のやりとりを行うリーダ装置のアンテナを設置して成り、前記無線タグは、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで構成されていることを特徴とする浴槽装置。
【請求項３】
リーダ装置で浴槽の蓋が有ることを検出したときには自動湯張り装置が運転可能である前記請求項１又は２に記載の浴槽装置。
【請求項４】
浴槽水の循環口カバーに無線タグを取り付けると共に、循環口の近傍に前記無線タグとの無線電波による情報のやりとりを行うリーダ装置のアンテナを設置して成り、前記無線タグは、無線電波を受信するアンテナと、無線電波を受信して電源の供給を受け、この電源を利用してデータをアンテナから送信する無線タグＩＣとで構成されており、リーダ装置で循環口カバーが無いことを検出したときには循環ポンプを停止するようにしたことを特徴とする浴槽装置。
【請求項５】
浴槽水の循環口カバーに無線タグを取り付けると共に、循環口の近傍に前記無線タグとの無線電波による情報のやりとりを行うリーダ装置のアンテナを設置して成り、前記無線タグは、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで構成されており、リーダ装置で循環口カバーが無いことを検出したときには循環ポンプを停止するようにしたことを特徴とする浴槽装置。
【発明の詳細な説明】
【技術分野】
【０００１】
本発明は、浴槽の蓋や浴槽水の循環口のカバーに、無線タグを取り付けてその有無を自動的に検知し、自動湯張りや循環ポンプの停止を自動的に行うようにした浴槽装置の技術に関するものである。
【背景技術】
【０００２】
最近では、浴槽に所望する温度の湯を所望する水位まで自動的に湯張りする装置が公知である。このような自動湯張り装置においては、使用者が浴槽蓋を閉じ忘れた場合でも自動的に湯張りが開始される。ところが、湯張りを完了した後、蓋がないために、熱気が逃げ、湯の温度が急激に低下するという問題があった。なお、浴槽蓋の有無を検知する装置としては、例えば、特許文献１に記載された技術がある。この先願技術では、浴槽蓋の有無を検知することにより、入浴者の有無を検知し、浴室暖房装置の強弱モードを切り換えるようにしている。
【０００３】
一方、最近では、浴槽の湯水を循環させてジェット噴出口から噴出させ、マッサージ効果を行うことのできるジェットバスも公知である。ジェットバスは、循環ポンプを駆動させて浴槽内の湯を循環口から吸込んで、ジェット噴出口から噴出させている。特許文献２には、この循環ポンプを強制的にＯＦＦ動作させる技術が開示されている。すなわち、循環口のカバーの通水口が毛髪やタオルなどで塞がれたときに循環口カバーが移動し、マグネットスイッチがＯＮ動作し、循環ポンプをＯＦＦ動作させるようにしている。
なお、浴槽の湯水を循環させる管路は、追い焚き機能を備えた浴槽装置などにも装備されている。
【特許文献１】特開２００２−２６７１９７号公報
【特許文献２】特開２００３−６１８４６号公報
【発明の開示】
【発明が解決しようとする課題】
【０００４】
ところが、前記特許文献１に記載された技術にあっては、浴槽蓋の有無を検出して入浴者の存在を確認し、これを他の機器を制御するスイッチング要素としているが、どのような方法で具体的に浴槽蓋の有無を検出しているかは明らかにされていない。
また特許文献２の技術にあっては、循環口カバーの移動の検出を、カバーの軸部材に設けたマグネットと、その近傍で且つ浴槽の外側に設けた磁気検出手段とで行っている。ところが、軸部材検出手段は配線接続が必要であり、配線接続作業が煩雑となり、またコストアップの原因となっていた。一方、水処理品を取り扱う場所に配線接続することは好ましいものとは言えなかった。
【０００５】
本発明は従来の前記課題に鑑みてこれを改良除去したものであって、電源や配線が不要で無線電波により情報のやりとりを行う無線タグを利用した浴槽装置を提供せんとするものである。
【課題を解決するための手段】
【０００６】
前記課題を解決するために本発明が採用した請求項１の手段は、浴槽の蓋に無線タグを取り付けると共に、浴槽の蓋載置面近傍に前記無線タグとの無線電波による情報のやりとりを行うリーダ装置のアンテナを設置して成り、前記無線タグは、無線電波を受信するアンテナと、無線電波を受信して電源の供給を受け、この電源を利用してデータをアンテナから送信する無線タグＩＣとで構成されていることを特徴とする浴槽装置である。
【０００７】
本発明が採用した請求項２の手段は、浴槽の蓋に無線タグを取り付けると共に、浴槽の近傍に前記無線タグとの無線電波による情報のやりとりを行うリーダ装置のアンテナを設置して成り、前記無線タグは、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで構成されていることを特徴とする浴槽装置である。
【０００８】
本発明が採用した請求項３の手段は、リーダ装置で浴槽の蓋が有ることを検出したときには自動湯張り装置が運転可能である前記請求項１又は２に記載の浴槽装置である。
【０００９】
本発明が採用した請求項４の手段は、浴槽水の循環口カバーに無線タグを取り付けると共に、循環口の近傍に前記無線タグとの無線電波による情報のやりとりを行うリーダ装置のアンテナを設置して成り、前記無線タグは、無線電波を受信するアンテナと、無線電波を受信して電源の供給を受け、この電源を利用してデータをアンテナから送信する無線タグＩＣとで構成されており、リーダ装置で循環口カバーが無いことを検出したときには循環ポンプを停止するようにしたことを特徴とする浴槽装置である。
【００１０】
本発明が採用した請求項５の手段は、浴槽水の循環口カバーに無線タグを取り付けると共に、循環口の近傍に前記無線タグとの無線電波による情報のやりとりを行うリーダ装置のアンテナを設置して成り、前記無線タグは、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとで構成されており、リーダ装置で循環口カバーが無いことを検出したときには循環ポンプを停止するようにしたことを特徴とする浴槽装置である。
【発明の効果】
【００１１】
請求項１の発明にあっては、浴槽の蓋を閉じると、浴槽の蓋に取り付けた無線タグのアンテナが、浴槽の蓋載置面近傍に設けたリーダ装置のアンテナから発信される電波を受信できる距離になり、当該無線タグは、リーダ側のアンテナから発信された電波を受信して内部に駆動用の電源を発生させる。そして、無線タグＩＣから「浴槽蓋有り」の情報をアンテナを通じて無線電波で自動的に発信する。リーダ装置側では、この浴槽蓋の情報をアンテナで受信して所定の信号処理を行う。このように、無線タグは、無線電波で通信して浴槽蓋の有無を知らせており、電源及び配線が全く不要である。
【００１２】
請求項２の発明にあっては、浴槽の蓋を閉じると、浴槽の近傍に設けたリーダ装置のアンテナから発信される電波を無線タグのアンテナが受信可能になり、無線タグのスイッチがＯＮ動作する。そのため、当該無線タグは、リーダ側のアンテナから発信された電波を受信して内部に駆動用の電源を発生させる。そして、無線タグＩＣから「浴槽蓋有り」の情報をアンテナを通じて無線電波で自動的に発信する。リーダ装置側では、この浴槽蓋の情報をアンテナで受信して所定の信号処理を行う。この発明でも、無線タグは、無線電波で通信して浴槽蓋の有無を知らせており、電源及び配線が全く不要である。
【００１３】
請求項３の発明は、請求項１又は２において、浴槽の蓋が有ることを検知した場合には、リーダ装置側において、自動湯張り装置をＯＮ動作させることができる状態とし、浴槽蓋が検知されない場合には、自動湯張り装置はＯＮ動作させないように制御するものである。これにより、浴槽蓋がないにも拘らず、自動湯張りを行い、湯の温度が極端に冷めるという無駄なエネルギー損失を防止することが可能である。
【００１４】
請求項４の発明は、浴槽水の循環口のカバーが装着されていない場合には、大量の湯水が一気に吸い込まれ、タオルや毛髪等が詰まる原因となるので、カバーが装着されていない場合には、循環ポンプの停止を行う必要がある。本発明では、カバーが装着されているときには、カバーに取り付けた無線タグのアンテナが、リーダ装置側のアンテナからの電波を受信できる距離になり、無線タグの内部に駆動用の電源を発生させる。そして、無線タグＩＣから「カバー有り」の情報をアンテナを通じて無線電波で自動的に発信する。リーダ装置側では、このカバーの情報をアンテナで受信し、循環ポンプの運転を可能にする。一方、循環口にカバーが装着されていない場合には、循環ポンプの運転をＯＦＦにし、安全性の確立を保証している。
【００１５】
請求項５の発明は、浴槽水の循環口のカバーが装着されているときには、カバーに取り付けた無線タグのスイッチがＯＮとなり、そのアンテナがリーダ装置側のアンテナからの電波を受信し、無線タグの内部に駆動用の電源を発生させる。そして、無線タグＩＣから「カバー有り」の情報をアンテナを通じて無線電波で自動的に発信する。リーダ装置側では、このカバーの情報をアンテナで受信し、循環ポンプの運転を可能にする。一方、循環口にカバーが装着されていない場合には、循環ポンプの運転をＯＦＦにし、安全性の確立を保証している。
【発明を実施するための最良の形態】
【００１６】
以下に、本発明の構成を図面に示す発明の実施の形態に基づいて説明すると次の通りである。図１及び図２は、本発明の一実施の形態に係る無線タグ２を利用した浴槽装置１を示すものであり、図１は浴槽６の縦断面図、図２は無線タグ２の電気回路図である。同図に示す如く、浴槽６は、浴槽水の循環口７を有し、該循環口７にはカバー８が脱着自在に取り付けられるようになっている。また浴槽６には、蓋９が配設されており、非使用時には浴槽水の熱気が逃げないようになされている。
【００１７】
而して、これらの循環口カバー８と浴槽蓋９とには、それぞれ無線タグ２が取り付けられている。無線タグ２は、図２に示す如く、リーダ側からの無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とから構成されている。
【００１８】
また浴槽６の上縁面フランジ１０の下方側には、浴槽蓋２に取り付けられた無線タグ２に対応するリーダ装置（図示せず）側のアンテナ（コイル）１１が巻回されて設置されている。一方、浴槽水の循環口７から循環ポンプに至る管路１２の途中には、カバー８に取り付けられた無線タグ２に対応するリーダ装置（図示せず）側のアンテナ（コイル）１３が設置されている。
【００１９】
前記浴槽蓋２の無線タグ２のスイッチ５は、当該無線タグ２がアンテナ１１に対して接近又は離隔することによってアンテナコイルの磁気を検出してスイッチがＯＮ／ＯＦＦするタイプのリードスイッチである。これに対して、循環口カバー８に取り付けられた無線タグ２のスイッチ５は、循環口７の近傍に磁石１４が取り付けられており、カバー８が循環口７へ取り付けられると前記磁石１４の磁気を検出してスイッチがＯＮ／ＯＦＦするタイプのリードスイッチである。
【００２０】
スイッチ５がＯＮ動作すると、アンテナ３がリーダ側からの無線電波を受信して電源の供給を受け、無線タグＩＣの動作用の電源が確保される。これにより、無線タグＩＣ４は、内部に保存されていたデータをアンテナ３からリーダ側のアンテナへ無線電波で送信するようになっている。データの内容は、各無線タグ２自体の位置情報である。
【００２１】
このように構成された浴槽装置１においては、浴槽６の蓋９を閉じると、浴槽フランジ１０の下方に設けたリーダ装置のアンテナ１１から発信される電波による磁力を受けて無線タグ２のスイッチ５がＯＮとなり、アンテナ３が受信可能になる。これにより、無線タグ２は、リーダ側のアンテナ１１から発信された電波を受信して内部に駆動用の電源を発生させる。そして、無線タグＩＣ４から「浴槽蓋有り」の情報をアンテナ３を通じて無線電波で自動的に発信する。リーダ装置側では、この「浴槽蓋有り」の情報をアンテナ１１で受信して所定の信号処理を行う。
【００２２】
リーダ装置側の信号処理は、例えば、浴槽蓋９が有ることを検知した場合には、リーダ装置側において、自動湯張り装置をＯＮ動作させることができる状態とし、浴槽蓋９が検知されない場合には、自動湯張り装置はＯＮ動作させないように制御するものである。これにより、浴槽蓋９がないにも拘らず、自動湯張りを行い、湯の温度が極端に冷めるという無駄なエネルギー損失を防止することが可能である。
【００２３】
一方、浴槽水の循環口７のカバー８が装着されていない場合には、大量の湯水が一気に吸い込まれ、タオルや毛髪等が詰まる原因となるので、カバー８が装着されていない場合には、循環ポンプの停止を行う必要がある。この実施の形態では、カバー８が装着されているときには、カバー８に取り付けた無線タグ２のスイッチ５が、磁石１４の磁力を受けてＯＮ動作し、アンテナ３がリーダ装置側のアンテナ１３からの電波を受信して内部に駆動用の電源を発生させる。そして、無線タグＩＣ４から「カバー有り」の情報をアンテナ３を通じて無線電波で自動的に発信する。リーダ装置側では、このカバーの情報をアンテナ１３で受信し、循環ポンプの運転を可能にする。循環口７にカバー８が装着されていない場合には、循環ポンプの運転をＯＦＦにし、安全性の確立を保証している。
【００２４】
このように、無線タグ２は、無線電波で通信して浴槽蓋２の有無及び循環口カバー８の有無を知らせており、電源及び配線が全く不要である。そのため、樹脂でモールディングする等して完全防水型とすることが可能である。
【００２５】
ところで、上述した実施の形態においては、浴槽の蓋９及び循環口カバー８に、スイッチ５を備えた無線タグ２を取り付けた場合を説明したが、スイッチ５の働きをするものとして、以下のような構成とすることも可能である。すなわち、浴槽蓋９又は循環口カバー８に取り付けた無線タグを、リーダ装置側のアンテナに近づけたときに、ある距離の範囲内に入ったときに、無線タグのアンテナがリーダ装置側から発信される電波を受信できるように、リーダ装置側のアンテナから発信される電波強度と、これを受信することのできる無線タグの距離とを設定すればよい。これにより、前記無線タグ２のスイッチ５の働きを行わせることができ、無線タグ２からスイッチ５を省略することが可能である。
【図面の簡単な説明】
【００２６】
【図１】本発明の一実施の形態に係る浴槽装置の縦断面図である。
【図２】本発明の第１の実施の形態に係る無線タグの電気回路図である。
【符号の説明】
【００２７】
１…浴槽装置、２…無線タグ、３…アンテナ、４…無線タグＩＣ、５…スイッチ、６…  浴槽、７…循環口、８…カバー、９…浴槽蓋、１０…浴槽上縁面フランジ、１１，１３  …リーダ装置側アンテナ、１２…浴槽水循環管路、１４…磁石
【図１】
2005160515.tif 000003
【図２】
2005160515.tif 000004